(57)【要約】【課題】外装体の側板部の少なくとも一部に、ラベルの端部を収納する収納溝を備えることにより、ラベルの強度を損なうことがなく、安価にラベルの剥がれ及び浮き上がりを防止することが出来、薄型化を図ることが可能である電池パックを提供する。【解決手段】電池パック１の外装ケースは下側ケース３と上側ケース４とからなる。上側ケース４は、長辺側の側板部４１，４１と、短辺側の側板部４２，４３とからなる枠状体であり、一短辺側の側板部４３には、段状に、保護回路基板２２を被覆する基板被覆部４４が突設されている。上側ケース４の側板部４３と基板被覆部４４との間には、全長に亘って、ラベル５の他の側部より上下寸法が短い側部５４を収納するための収納溝４５が設けられている。収納溝４５の側板部４３に、ラベル５の側部５４の端部が収納される。【選択図】図２
2007227319.tif 000002
【特許請求の範囲】
【請求項１】
角型平板状の素電池の一側面に、外部出力端子を有する保護回路基板を配してなる組電池と、
該組電池の側面を覆う側板部を有する外装体と、
少なくとも、前記組電池の表面及び外装体の一部に、貼付され、又は巻き付けられるラベルと
を備える電池パックにおいて、
前記側板部の少なくとも一部に、前記ラベルの端部を収納する収納溝を備えることを特徴とする電池パック。
【請求項２】
前記外装体は、前記組電池の表面に平行な面で分割されており、
前記収納溝は、表面側の外装体に備えられる請求項１に記載の電池パック。
【請求項３】
角型平板状の素電池の一側面に、外部出力端子を有する保護回路基板を横設してなる組電池と、
該組電池の側面を覆う側板部を有し、一側板部に前記保護回路基板を収納する基板収納部が設けられており、前記組電池の表面に平行な面で分割されている外装体と、
少なくとも、前記組電池の表面及び外装体の一部に、貼付され、又は巻き付けられるラベルと
を備える電池パックにおいて、
表面側の外装体の少なくとも前記一側板部の一部に、前記ラベルの端部を収納する収納溝を備えることを特徴とする電池パック。
【請求項４】
前記組電池の表面から前記収納溝の底面までの長さが４ｍｍ以下である請求項１乃至３のいずれかに記載の電池パック。
【請求項５】
前記収納溝の平面視の断面の幅寸法が、前記ラベルの厚みの２倍以下である請求項１乃至４のいずれかに記載の電池パック。
【請求項６】
前記収納溝の深さ寸法が、前記ラベルの厚みの２倍以上である請求項１乃至５のいずれかに記載の電池パック。
【発明の詳細な説明】
【技術分野】
【０００１】
本発明は、ビデオカメラ，モバイルコンピュータ，携帯電話機等の主として携帯電子機器の電源として利用される充放電可能な非水電解質二次電池、具体的にはリチウムイオン二次電池等を絶縁体の外装体に収納した電池パックに関する。
【背景技術】
【０００２】
近年、急速に普及しているビデオカメラ，モバイルコンピュータ，携帯電話機等の携帯電子機器の電源としては、充放電可能な直方体状の非水電解質二次電池、例えばリチウムイオン二次電池等が主として用いられている。
【０００３】
リチウムイオン二次電池においては、過充電及び過放電を防止するために一側面に電池電圧を制御するための保護回路基板が設けられており、これらを絶縁性の例えば合成樹脂製の外装体に収容した状態の電池パックとして電子機器に装着する。保護回路基板と電池との間は接続用のリード板により電気的に接続される。
【０００４】
特許文献１〜５には、薄型化を目的として、保護回路基板を素電池の側面に配してなる組電池にラベルを貼付し、又は巻き付けて構成した電池パックが開示されている。
薄型化が進行した電池パックは、電池パックの厚みとなる組電池の外周側面部において、ラベルの接着面積が小さいので、電池パックの完成後に該側面部からラベルが剥がれ、浮き上がるという問題が生じていた。
【０００５】
この問題を解決するために、特許文献６には、電池を装着する筐体の側面の稜の部分、又は筐体の側面に形成された他の部分より突出した部分と周囲との会合部に、ミシン目を形成したラベルを、電池及び筐体に貼着した電池パックの発明について開示されている。
また、特許文献７には、ラベルの折り曲げ部の厚みを５０μｍ以下、平面部の少なくとも一部の厚みを６０μｍ以上とし、部分的に薄くしたラベルを有する電池パックの発明について開示されている。
【０００６】
図７は、従来の電池パック１００を示す斜視図である。
電池パック１００の組電池１０４の素電池は、その内部に正極及び負極をセパレータを介して巻回した発電要素を含む非水電解質二次電池、例えばリチウムイオン二次電池等の二次電池であり、発電要素はアルミニウム又はアルミニウム合金製であり、直方体状のケースに収納してなる。
【０００７】
組電池１０４は、素電池の一側面に対向して、保護回路基板（図示せず）を配置することにより構成される。保護回路基板は、内面に過充電又は過放電等を防止するための保護回路を備え、外面には外部へ電力を取り出し、また逆に充電のために外部から電力を取り込むための外部出力端子１０５，１０５，１０５が金メッキにより設けられている。
組電池１０４は、上部が開口した箱状の外装ケース１０１に収納されている。組電池１０４の前記保護回路基板が設けられている側面に対向する、外装ケース１０１の側板部の一端側には、外部出力端子１０５，１０５，１０５を表出させるための窓部１０２，１０２，１０２が設けられている。
組電池１０４を外装ケース１０１に収納した後に、組電池１０４の表面及び外装ケース１０１を覆うように、ラベル１０３が貼付される。
【０００８】
図８は、ラベル１０３を示す斜視図である。
ラベル１０３は、矩形の平面部１０６と、長辺側の側部１０７，１０７，１０７と、短辺側の側部１０８，１０８と、側部１０７，１０７，１０７，１０８，１０８に連設された折り曲げ端部１０９，１０９，１０９，１０９，１０９とを備える。一方の側部１０７は、外装ケース１０１の側板部の窓部１０２，１０２，１０２が設けられている部分、及び端部に対応する部分が切り欠かれており、窓部１０２等を露出するように構成されている。
ラベル１０３は、平面部１０６を組電池１０４の表面に貼付し、側部１０７，１０７，，１０７，１０８，１０８を外装ケース１０１の各側板部に沿わせた後、折り曲げ端部１０９，１０９，１０９，１０９，１０９を外装ケース１０１の裏面の端部に沿わせて貼付する。
【０００９】
図９は、他のラベル１１０を示す斜視図である。図中、図８と同一部分は同一符号を付してある。
ラベル１１０は、図７の組電池１０４の各側面を、上下が開口し、口の字状をなす枠体である外装枠で覆ったものの上下の露出面、及び側部に貼付されるものである。
ラベル１１０は、ラベル１０３の各部に加えて、さらに組電池１０４の露出した裏面を覆う底面部１１１を備える。底面部１１１は、一方の側部１０８に連設されている。
ラベル１１０は、平面部１０６を組電池１０４の表面に貼付し、側部１０７，１０７，１０７，１０８，１０８を外装枠の各側板部に沿わせた後、折り曲げ端部１０９，１０９，１０９，１０９を組電池１０４の裏面の端部に沿わせて貼付し、さらに、底面部１１１を前記裏面に貼付することにより、組電池１０４及び外装枠に巻き付けられる。
【００１０】
図８のラベル１０３は折り曲げ端部１０９，１０９，１０９，１０９，１０９を設けることで、外装ケース１０１の裏面側まで巻き込むようにして、剥がれ及び浮き上がりを防止している。また、図９のラベル１１０は、裏面側まで巻き込んだ折り曲げ部１０９，１０９，１０９に、さらに別方向から巻き込んだ底面部１１１を重ねて貼付することにより、剥がれ及び浮き上がりを防止している。
【特許文献１】特開平９−２７３０６号公報
【特許文献２】特開平１０−２１８９０号公報
【特許文献３】特開２００１−１９６０３５号公報
【特許文献４】特開２００４−３２７３７８号公報
【特許文献５】特開２００４−２７３１７４号公報
【特許文献６】特開２００３−２８２０４０号公報
【特許文献７】特開２００３−７７４３５号公報
【発明の開示】
【発明が解決しようとする課題】
【００１１】
特許文献６及び７の場合、ラベルに特別な処理を施すことでラベル側面の浮き上がり防止を行っているので、ラベルのコストが高くなるという問題がある。また、ラベルの折り曲げ稜線の形成を、薄肉化、ミシン目及び部材の一部の切除等で行った場合は、これらの部分でラベルの強度が低下し、ラベルが裂けたり、破れたりする可能性があり、電池パックの強度が低下するおそれがあるという問題があった。
【００１２】
図８及び図９のラベルを用いた電池パックにおいては、ラベルを外装ケース又は組電池の裏面側に巻き込んだ部分、及び重ねた部分だけ、電池パックの厚みが厚くなるという問題がある。
【００１３】
本発明は、斯かる事情に鑑みてなされたものであり、外装体の側板部の少なくとも一部に、ラベルの端部を収納する収納溝を備えることにより、ラベルの強度を損なうことがなく、安価にラベルの剥がれ及び浮き上がりを防止することが出来るとともに、組電池及び外装体の裏側まで巻き込み、又は重ねる必要がないので、薄型化を図ることが可能である電池パックを提供することを目的とする。
【００１４】
そして、本発明は、外装体が分割されている場合の表面側の外装体に収納溝を備えることにより、ラベルの剥がれ及び浮き上がりを効果的に防止することが出来る電池パックを提供することを目的とする。
【００１５】
また、本発明は、組電池の表面から収納溝の底面までの長さを４ｍｍ以下にすることにより、組電池及び外装体の形状及び厚みに左右されず、剥がれ及び浮き上がりを防止した状態でラベルを貼付することが出来、組電池の薄型化に対応することが出来る電池パックを提供することを目的とする。
【課題を解決するための手段】
【００１６】
第１発明に係る電池パックは、角型平板状の素電池の一側面に、外部出力端子を有する保護回路基板を配してなる組電池と、該組電池の側面を覆う側板部を有する外装体と、少なくとも、前記組電池の表面及び外装体の一部に、貼付され、又は巻き付けられるラベルとを備える電池パックにおいて、前記側板部の少なくとも一部に、前記ラベルの端部を収納する収納溝を備えることを特徴とする。
【００１７】
本発明においては、ラベルの端部を収納溝に収納するので、ラベルの剥がれ及び浮き上がりを効果的に防止することが出来る。従って、ラベルを裏側まで巻き込む必要がなく、電池パックの薄型化を図ることが出来、外観が良好になる。
そして、ラベル自体に特別な処理を施すことなく、既存の材料構成、加工方法でラベルを作製することが出来るので、ラベルのコストアップは生じない。さらに、ラベルの折り曲げ稜線の形成を、薄肉化、ミシン目及び部材の一部の切除等で行った場合のように、強度低下によるラベルの裂け及び破れも生じない。被着体である外装体は、金型を用いたプラスチック成型品で構成されることが多いが、予め、金型に収納溝を形成しておくことで、外装体のコストアップも生じない。従って、安価に、ラベルが剥がれにくい電池パックが得られる。
【００１８】
第２発明に係る電池パックは、第１発明において、前記外装体は、前記組電池の表面に平行な面で分割されており、前記収納溝は、表面側の外装体に備えられることを特徴とする。
【００１９】
外装体が分割されている場合、分割された各外装体の側板部は上下寸法が短くなる。裏面側の外装体の側板部がこれに係止される表面側の外装体の側板部より突出している部分を有し、外観等の点から前記部分に沿わせて表裏の外装体の側板部にラベルを貼付することが出来ない等の理由から、表面側の側板部にのみラベルを貼付する場合、貼付されるラベルの側部もこれと同寸で、上下寸法が短いので、粘着面積が小さくなり、粘着力が小さくなる。このため、ラベルの素材の弾性による反力との差が小さくなり、ラベルの側部は剥がれ、浮き上がりやすくなる。この場合、前記側板部の下部は裏面側の外装体に係止されるので、ラベルを該側板部の裏側に巻き込んで貼付することは出来ない。
本発明においては、表面側の外装体に収納溝を備え、ラベルの側部の端部を収納溝に収納するので、側部がラベルの素材の弾性反力で剥がれようとしても収納溝に引っ掛かり、剥がれ及び浮き上がりが効果的に防止される。
【００２０】
第３発明に係る電池パックは、角型平板状の素電池の一側面に、外部出力端子を有する保護回路基板を横設してなる組電池と、該組電池の側面を覆う側板部を有し、一側板部に前記保護回路基板を収納する基板収納部が設けられており、前記組電池の表面に平行な面で分割されている外装体と、少なくとも、前記組電池の表面及び外装体の一部に、貼付され、又は巻き付けられるラベルとを備える電池パックにおいて、表面側の外装体の少なくとも前記一側板部の一部に、前記ラベルの端部を収納する収納溝を備えることを特徴とする。
【００２１】
素電池の一側面に保護回路基板を横設する場合、基板収納部は、これが設けられている外装体の側板部で突出しており、段状をなすので、該側板部は上下寸法が短く、ラベルが剥がれ、浮き上がりやすい。この構造上、ラベルを表面側の外装体の裏側まで巻き込むことが出来ず、基板収納部の裏面側まで巻き込むことにすると、外観が悪くなる。
本発明においては、前記側板部に収納溝が設けられており、ラベルを収納溝に収納することで、効果的にラベルの剥がれ及び浮き上がりを防止することが出来る。
【００２２】
第４発明に係る電池パックは、第１乃至第３発明のいずれかにおいて、前記組電池の表面から前記収納溝の底面までの長さが４ｍｍ以下であることを特徴とする。
【００２３】
外装体の側板部でラベルに貼付される上下寸法が４ｍｍ以下になる部分があると、ラベルが剥がれ、浮き上がりやすくなり、電池パックを構成することが出来なくなるが、本発明においては、収納溝にラベルの端部を収納するので、組電池及び外装体の形状に左右されず、剥がれ及び浮き上がりを防止した状態で、ラベルを貼付することが出来る。そして、組電池の薄型化に対応することが出来、電池パックの薄型化を図ることが出来る。
【００２４】
第５発明に係る電池パックは、第１乃至第４発明のいずれかにおいて、前記収納溝の平面視の断面の幅寸法が、前記ラベルの厚みの２倍以下であることを特徴とする。
【００２５】
本発明においては、収納溝の平面視の断面の幅寸法が、ラベルの厚みの２倍以下であるので、ラベルを挿入しやすく、しかもラベルが収納溝から抜けにくい。
【００２６】
第６発明に係る電池パックは、第１乃至第５発明のいずれかにおいて前記収納溝の深さ寸法が、前記ラベルの厚みの２倍以上であることを特徴とする。
【００２７】
本発明においては、収納溝の深さ寸法が、ラベルの厚みの２倍以上であるので、ラベルを挿入しやすく、しかもラベルが収納溝から抜けにくい。
【発明の効果】
【００２８】
本発明によれば、側板部の少なくとも一部に、ラベルの端部を収納する収納溝を備えるので、ラベルの強度を損なうことがなく、組電池及び外装体の裏側まで巻き込み、又は重ねる必要がなく、安価にラベルの剥がれ及び浮き上がりを防止することが出来、薄型化を図ることが可能である。
【００２９】
また、本発明によれば、外装体が分割されている場合の表面側の外装体に収納溝を備えるので、ラベルの剥がれ及び浮き上がりを効果的に防止することが出来る。
【００３０】
さらに、本発明によれば、組電池の表面から収納溝の底面までの長さを４ｍｍ以下にするので、組電池及び外装体の形状に左右されず、剥がれ及び浮き上がりを防止した状態でラベルを貼付することが出来、組電池の薄型化に対応することが出来る。
【発明を実施するための最良の形態】
【００３１】
以下本発明をその実施の形態を示す図面に基づき具体的に説明する。
実施の形態１．
図１は、本発明の実施の形態１に係る電池パック１を示す斜視図、図２は、電池パック１を示す分解斜視図、図３は、図１のIII-III線断面図である。
電池パック１の組電池２の素電池２１は、角型平板状であり、その内部に正極及び負極をセパレータを介して巻回した発電要素を含む非水電解質二次電池、具体的には例えばリチウムイオン二次電池等の二次電池であり、発電要素をアルミニウム又はアルミニウム合金製のケースに収納してなる。
【００３２】
組電池２は、素電池２１の一側面に、保護回路基板２２を横設して構成される。
保護回路基板２２の基板２２ａの表面には、過充電又は過放電等を防止するための保護回路２４が設けられ、両端部には素電池２１と電気的に接続するための正負の電極板２５，２５が設けられ、電極板２５，２５はリード板２６，２６を介し素電池２１に接続されている。基板２２ａの裏面には外部へ電力を取り出し、また、逆に充電のために外部から電力を取り込むための３つの外部出力端子（図示せず）が金メッキにより設けられている。
【００３３】
電池パック１の合成樹脂製の外装ケースは、下側ケース３と上側ケース４とからなり、下側ケース３は、平板部３１に、長辺側の側板部３２，３２と、短辺側の側板部３３，３３とが周設されてなる。平板部３１には、前記外部出力端子を表出させるための窓部３４，３４，３４が設けられている。側板部３２，３２，３３，３３には、上側ケース４を係止するための係止部３５が設けられている。
上側ケース４は、長辺側の側板部４１，４１と、短辺側の側板部４２，４３とからなる枠状体であり、一短辺側の側板部４３には、段状に、保護回路基板２２を被覆する基板被覆部４４が突設されている。
絶縁シート製のラベル５は、矩形の平面部５１と、長辺側の側部５２，５２と、短辺側の側部５３，５４とを備える。側部５４の上下寸法は、他の側部５２，５２，５３より短く、２．５ｍｍである。
【００３４】
上側ケース４の側板部４３と基板被覆部４４との間には、全長に亘って、ラベル５の側部５４の端部を収納するための収納溝４５が設けられている。
図３に示す収納溝４５の幅ｗは、ラベル５の厚みの２倍以下とされ、収納溝４５の深さｄ、すなわち基板被覆部４４の上面から収納溝４５の底面までの長さはラベル５の厚みの２倍以上とされる。収納溝４５の幅ｗ及び深さｄが上述の範囲内である場合、ラベル５を挿入しやすく、しかもラベル５が収納溝から抜けにくい。
本実施形態において、具体的には、ラベル５の厚みは０．１ｍｍ、収納溝４５の幅ｗは０．２ｍｍ（ラベル５の厚みの２倍）、深さｄは０．３ｍｍ（ラベル５の厚みの３倍）である。側板部４３の上面から収納溝４５の底面までの長さは、略２．５ｍｍであり、側部５４の上下寸法と略等しい。組電池２の表面から収納溝４５の底面までの長さは４ｍｍ以下とされている。
【００３５】
電池パック１を製造する場合、まず、下側ケース３に、組電池２を収納した後、保護回路基板２２を基板被覆部４４で覆った状態で上側ケース４を下側ケース３に係止し、超音波溶着により上側ケース４と下側ケース３とを接合して組み立てる。そして、ラベル５の平面部５１を組電池２の露出面に貼付し、側部５２，５２を上側ケース４の側板部４１，４１と、下側ケース３の側板部３２，３２とに沿わせて貼付し、側部５３を側板部４２，側板部３３に沿わせて貼付する。側部５４は側板部４３に沿わせ、側部５４の端部を収納溝４５にへら状の治具等を用いて挿入して貼付する。
【００３６】
上側ケース４を下側ケース３に接合した場合、側板部４３は他の側板部より上下寸法が短い。これに貼付されるラベル５の側部５４もこれと略同寸で、上下寸法が短いので、粘着面積が小さくなり、粘着力が小さくなる。このため、ラベル５の素材の弾性による反力との差が小さくなり、側部５４は剥がれやすくなる。本実施形態においては、側部５４の端部を収納溝４５に収納するので、側部５４がラベル５の素材の弾性反力で剥がれようとしても収納溝４５に引っ掛かり、剥がれ及び浮き上がりが効果的に防止される。
そして、ラベル５は特別な処理を施すことなく、既存の材料構成、加工方法で作製することが出来るので、ラベル５のコストアップは生じない。収納溝４５は、上側ケース４の金型に、収納溝４５に対応する部分を形成しておくことで、容易に、安価に作製することが出来る。従って、安価にラベルが剥がれにくい電池パック１が得られる。
【００３７】
実施の形態２．
図４は、本発明の実施の形態２に係る電池パック１０を示す斜視図、図５は、電池パック１０を示す分解斜視図である。
電池パック１０の組電池６の素電池６１は、角型平板状であり、その内部に正極及び負極をセパレータを介して巻回した発電要素を含む非水電解質二次電池、具体的には例えばリチウムイオン二次電池等の二次電池であり、発電要素をアルミニウム又はアルミニウム合金製のケースに収納してなる。
【００３８】
組電池６は、素電池６１の一側面に対向して、保護回路基板６２を配置することで構成される。
保護回路基板６２の基板６２ａは、素電池６１の過充電又は過放電等を防止するための保護回路を備える。保護回路基板６２の素電池６１と対向する面に回路素子（図示せず）が実装されており、反対側、即ち外面側には、外部へ電力を取り出し、また逆に充電のために外部から電力を取り込むための正負極の外部出力端子６４，６４，６４が金メッキにより設けられている。保護回路基板６２は、リード板６３を介し素電池６１に接続されている。
【００３９】
電池パック１０の外装ケースは下側ケース７と上側ケース８とからなり、下側ケース７は、平板部７１に、長辺側の側板部７２，７２と、短辺側の側板部７３，７３とが周設されてなる。一方の側板部７３には、外部出力端子６４，６４，６４を表出させるための窓部７４，７４，７４が設けられている。側板部７２，７２，７３，７３には、上側ケース８を係止するための係止部７５が設けられている。
【００４０】
上側ケース８は、長辺側の側板部８１，８１と、短辺側の側板部８２，８３とからなる枠状体であり、側板部８３の上端には、該側板部８３に垂直な方向に、内側に延びて保護回路基板６２を覆うカバー部８４が連設されている。
ラベル９は、矩形の平面部９１と、長辺側の側部９２，９２と、短辺側の側部９３，９４とを備える。側部９４は、上側ケース８の側部８３に貼付されるので、この側部８３と略同寸であり、２．３ｍｍである。
上側ケース８の側板部８３の下部には、全長に亘って、ラベル９の側部９４の端部を収納するための収納溝８５が設けられている。
収納溝８５の平面視の幅寸法ｗは、ラベル９の厚みの２倍以下であり、収納溝８５の深さ寸法ｄは、ラベル９の厚みの２倍以上である。
【００４１】
電池パック１０を製造する場合、まず、下側ケース７に、組電池６を収納した後、保護回路基板６２をカバー部８４で覆った状態で上側ケース８を下側ケース７に係止し、超音波溶着により上側ケース８と下側ケース７とを接合して組み立てる。そして、ラベル９の平面部９１を組電池６の露出面に貼付し、側部９２，９２を上側ケース８の側板部８１，８１と、下側ケース７の側板部７２，７２とに沿わせて貼付し、側部９３を側板部８２，７３に沿わせて貼付する。側部９４は、側板部８３に沿わせ、側部９４の端部を収納溝８５にへら状の治具等を用いて挿入して貼付する。
【００４２】
本実施形態のように、外装ケースのラベル巻き付け面のうちの一面に、窓部７４，７４，７４が設けられている場合、従来は図７の電池パック１００のように、窓部が設けられている部分を除いてラベルを巻き付けていたが、ラベルが容易に剥がれないようにするために、ラベルの貼付面積を所定量確保する必要があり、外部出力端子及び窓部の位置並びに大きさに制限が生じていた。
本実施形態においては、側部９４の端部を収納溝８５に収納するので、側部９４がラベル９の素材の弾性反力で剥がれようとしても収納溝８５に引っ掛かり、剥がれ及び浮き上がりが効果的に防止される。従って、ラベルの貼付面積を確保することが出来る。
なお、本実施形態においては、側板部８３の下部に、全長に亘って収納溝８５を設け、ラベル９の側部９４の全長を他の側部より短くした場合につき説明しているがこれに限定されるものではなく、窓部７４，７４，７４が設けられている部分に対応する部分に収納溝８５を設け、側部９４も該部分のみ短くし、側部９４の両端部は、下側ケース７の側板部７３の下端まで覆うように長くしてもよい。
【００４３】
実施の形態３．
図６は、本発明の実施の形態３に係る電池パック１１を示す斜視図である。図中、図４と同一部分は同一符号を付してある。
【００４４】
電池パック１１の下側ケース７の各側板部７２の下部には、ラベル９の側部９２の端部を収納するための収納溝７６が設けられており、側板部７３の下部には、側部９３の端部を収納するための収納溝（図示せず）が設けられている。
【００４５】
本実施形態においては、ラベル９の側部９４に加えて、他の側部９２，９２，９３の端部も収納溝７６等に収納されるので、各側部がラベル９の素材の弾性反力で剥がれようとしても収納溝７６等に引っ掛かり、剥がれ及び浮き上がりが効果的に防止される。
本実施形態においては、下側ケース７の裏面にラベルを貼付しないので、電池パック１１が薄型化されるとともに、外観も良好である。
【００４６】
収納溝を設ける外装ケースの側板部、側板部における収納溝の設置箇所、及び収納溝の長さは、前記実施の形態１乃至３において説明した場合に限定されず、種々の変更が可能である。
【図面の簡単な説明】
【００４７】
【図１】本発明の実施の形態１に係る電池パックを示す斜視図である。
【図２】実施の形態１に係る電池パックを示す分解斜視図である。
【図３】図１のIII-III線断面図である
【図４】本発明の実施の形態２に係る電池パックを示す斜視図である。
【図５】実施の形態２に係る電池パックを示す分解斜視図である。
【図６】本発明の実施の形態３に係る電池パックを示す斜視図である。
【図７】従来の電池パックを示す斜視図である。
【図８】ラベルを示す斜視図である。
【図９】他のラベルを示す斜視図である。
【符号の説明】
【００４８】
１、１０、１１  電池パック
２、６  組電池
２１、６１  素電池
２２、６２  保護回路基板
２２ａ、６２ａ  基板
２４  保護回路
２５  電極板
２６  リード板
６４  外部出力端子
３、７  下側ケース
３１、７１  平板部
３２、３３、７２、７３  側板部
３４、７４  窓部
４、８  上側ケース
４１、４２、４３、８１、８２、８３  側板部
４４  基板被覆部
４５、７６、８５  収納溝
８４  カバー部
５、９  ラベル
５１、９１  平面部
５２、５３、５４、９２、９３、９４  側部
【図１】
2007227319.tif 000003
【図２】
2007227319.tif 000004
【図３】
2007227319.tif 000005
【図４】
2007227319.tif 000006
【図５】
2007227319.tif 000007
【図６】
2007227319.tif 000008
【図７】
2007227319.tif 000009
【図８】
2007227319.tif 000010
【図９】
2007227319.tif 000011